(57)【要約】【課題】酸化還元物質と導電性材料との間に電子授受させることにより高感度に応答し、測定電位の安定性に優れた酸化還元物質の信号増幅検出方法及びその測定装置の提供を目的とする。【解決手段】測定装置は、半導体基板にソース電極部とドレイン電極部とその間にゲート部とを備えた酸化還元物質測定装置であって、ゲート部は、半導体基板上に絶縁層と導電性層と測定溶液又は測定ガスの注入部とをその順に有していることを特徴とする。【選択図】  図１
2008020373.tif 000002
【特許請求の範囲】
【請求項１】
半導体基板にソース電極部とドレイン電極部とその間にゲート部とを備えた酸化還元物質測定装置であって、
ゲート部は、半導体基板上に絶縁層と導電性層と測定溶液又は測定ガスの注入部とをその順に有していることを特徴とする酸化還元物質測定装置。
【請求項２】
ゲート部は、導電性層に酸化還元酵素を固定化してあることを特徴とする請求項１記載の酸化還元物質測定装置。
【請求項３】
請求項１記載の酸化還元物質測定装置を用いて、測定溶液又は測定ガスの注入部に参照電極を配設してこの参照電極と半導体基板との間にゲート電圧を印加し、前記注入部に注入した検体によるソース電極とドレイン電極との間の出力変化を測定することを特徴とする酸化還元物質の信号増幅検出法。
【請求項４】
請求項１記載の酸化還元物質測定装置を用いて、測定溶液の注入部に電子メディエーター物質と酸化還元酵素を注入し、測定溶液の注入部に参照電極を配設するとともに参照電極と半導体基板との間にゲート電圧を印加し、前記注入部における酵素反応をソース電極とドレイン電極との間の出力変化として測定することを特徴とする酵素反応の信号増幅検出法。
【請求項５】
請求項２記載の酸化還元物質測定装置を用いて、
測定溶液の注入部に参照電極を配設し、参照電極と半導体基板との間にゲート電圧を印加し、前記注入部に酵素基質を注入し、ソース電極とドレイン電極との間の信号増幅出力変化を測定することを特徴とする酵素基質の定性及び定量分析方法。
【発明の詳細な説明】
【技術分野】
【０００１】
本発明は、接触物質と導電性材料との電子授受による酸化還元物質の増幅検出法及びこの方法を用いた酸化還元物質の測定装置に関する。
特に酸化還元物質との電子授受を信号増幅して高感度に検出できるので酸化還元物質の定性、定量分析及び酸化還元酵素反応の検出方法に適用するのが効果的である。
【背景技術】
【０００２】
従来、液中あるいは気体中の酸化還元物質は、電極電位や表面抵抗の計測にて検出していたが、信号量が小さく、ドリフトも大きく、感度が良くなかった。
特許文献１（特開平１０−３３２４２３号）には、ケミカルＣＣＤ（ケミカル電荷結合素子）のゲート部に溶液を接触させた際に生じる界面電位の変化を半導体内部に蓄積する電荷量に変換及び積算増幅することにより微量な界面電位変化を測定する技術を開示する。
しかし、特許文献１に記載の技術においてはゲート部は絶縁膜で形成されていて、絶縁膜上に集積するプロトン等の電荷分布による絶縁膜分極作用に基づくものであるため、酸化還元物質の電子授受を直接測定できるものではない。
よって、絶縁膜上に集積するプロトンの安定性が低く、測定電位が安定しにくい技術的課題があり、測定電位も原理的にｐＨ応答であるために酸化還元による電子授受を直接的に測定できなかった。
【０００３】
【特許文献１】特開平１０−３３２４２３号公報
【発明の開示】
【発明が解決しようとする課題】
【０００４】
本発明は、酸化還元物質と導電性材料との間に電子授受させることにより高感度に応答し、測定電位の安定性に優れた酸化還元物質の信号増幅検出方法及びその測定装置の提供を目的とする。
【課題を解決するための手段】
【０００５】
本発明の趣旨は、イオン選択性電界効果トランジスタ（ＩＳＦＥＴ）やケミカル電荷結合素子のゲート部に金膜等の導電性膜を形成することで、酸化還元能を持つ接触物質と導電性膜とで電子授受させることができ、それらの酸化還元物質を高感度に検出・計測できる点にある。
【０００６】
請求項１記載に係る酸化還元物質測定装置は、半導体基板にソース電極部とドレイン電極部とその間にゲート部とを備えた酸化還元物質測定装置であって、ゲート部は、半導体基板上に絶縁層と導電性層と測定溶液又は測定ガスの注入部とをその順に有していることを特徴とする。
ここで、半導体基板に形成するソース電極とドレイン電極とはｎｐｎ型のｎチャンネルであっても、ｐｎｐ型のｐチャンネルであってもよい。
半導体基板上に形成する絶縁層は少なくとも一層が形成されていれば複層でもよく、材質も絶縁性を有すれば特に限定されない。
絶縁層の代表例としては、窒化ケイ素膜（Ｓｉ３Ｎ４）、五酸化タンタル膜（Ｔａ２Ｏ５）が挙げられる。
絶縁層の上に形成する導電性層は導電性の材料であれば特に限定されないが、測定対象となる接触物質と化学反応しないものがよく、金属性のものとしては、金、白金、銀、チタン、タングステン、イリジウム等の膜、あるいはそれらの合金の膜が例として挙げられ、非金属性のものとしては、ポリアセチレン、ポリアニリン、ポリピロール等の導電性高分子膜、導電性ダイヤモンド膜が例として挙げられる。
また、導電性層となる導電性膜の形成方法もＰＶＤ、ＣＶＤ、メッキ方法、コロイド膜形成法等特に限定されない。
【０００７】
本発明に係る酸化還元物質測定装置は、ソース電極部とドレイン電極部との間に形成するゲート部の絶縁層の上に導電性層を有している点に特徴があり、増幅素子として、ケミカルＣＣＤ及びＩＳＦＥＴ等に組み込んだ測定装置とすることができる。
【０００８】
請求項２記載の発明は、ゲート部は、導電性層に酸化還元酵素を固定化してあることを特徴とする。
導電性層に酸化還元酵素を固定化すると酸化還元酵素反応や酵素の定性、定量分析に使用しやすくなる。
【０００９】
請求項３記載に係る酸化還元物質の信号増幅検出法は、請求項１記載の酸化還元物質測定装置を用いて、測定溶液又は測定ガスの注入部に参照電極を配設してこの参照電極と半導体基板との間にゲート電圧を印加し、前記注入部に注入した検体によるソース電極とドレイン電極との間の出力変化を測定することを特徴とする。
これにより、溶液中の酸化還元物質あるいはガス中の酸化還元物質を高感度に検出でき、定性分析や定量分析ができる。
【００１０】
請求項４記載に係る発明は、酵素反応の観測及び測定に適用した酵素反応の信号増幅検出法であって、請求項１記載の酸化還元物質測定装置を用いて、測定溶液の注入部に電子メディエーター物質と酸化還元酵素を注入し、測定溶液の注入部に参照電極を配設するとともに参照電極と半導体基板との間にゲート電圧を印加し、前記注入部における酵素反応をソース電極とドレイン電極との間の出力変化として測定することを特徴とする。
【００１１】
請求項５記載に係る発明は、酵素基質の定性及び定量分析をしやすくしたもので、請求項２記載の酸化還元物質測定装置を用いて、測定溶液の注入部に参照電極を配設し、参照電極と半導体基板との間にゲート電圧を印加し、前記注入部に酵素基質を注入し、ソース電極とドレイン電極との間の信号増幅出力変化を測定することを特徴とする。
【発明の効果】
【００１２】
本発明に係る酸化還元物質の測定装置及び検出方法においては、ゲート部に金膜等の導電性層を形成したので、液中および気体中に存在する酸化還元物質の電子授受能力の評価や、物質が既知である場合はその濃度を高感度に測定できる。
また酸化還元酵素反応を、導電性層と酵素との間接電子移動（電子メディエータを介する）あるいは直接電子移動により観測できる。
【発明を実施するための最良の形態】
【００１３】
図１に本発明に係る測定装置及び酸化還元物質の増幅検出法の模式図を示す。
図１に示す例は、シリコン半導体等のｐ型半導体基板にｎ型部２１ａのソース電極２１とｎ型部２２ａのドレイン電極２２とを設けたｎｐｎ型チャンネルになっている。
ソース電極２１とドレイン電極２２との間のゲート部１０はｐ−Ｓｉの半導体基板上にＳｉＯ２膜等の約５０ｎｍ絶縁第一層１３とその上にＳｉ３Ｎ４等の約７０ｎｍ絶縁第二層１２を形成し、さらにその上に金膜等の導電性層を形成してある。
金膜はスパックリング方法にて約５０ｎｍの薄膜層となっている。
この金膜は酸化還元物質との電子授受層となるのでその厚さは濃度等の測定範囲に影響を与え、４０ｎｍ〜２μｍ程度の範囲がよい。
厚みが厚い方が電子授受量が多くなるが金膜の均一性を確保しやすい点では４０ｎｍ〜２００ｎｍ程度がよい。
また、ゲート部には図１に示すようにフッ素樹脂製等の立壁２を設けて測定溶液３を注入する注入部３０を設け、注入部３０にはＡｇ／ＡｇＣｌ等の参照電極を配設してある。
【００１４】
図１では、注入部３０に測定溶液を入れる例を示したが、注入部にガス留部を形成し、ガスを注入あるいは循環させてガス中の酸化還元物質を測定することができる。
【００１５】
参照電極４と半導体基板との間にゲート電圧５を印加し、測定溶液中に酸化還元物質が存在すると、酸化反応の場合には金膜から電子を抜き取り、逆に還元反応の場合には金膜中ヘ電子を注入するように作用するのでそれに伴い、絶縁層の分極比率が変化し、絶縁層と半導体基板との間の空乏層が変化し、ソース電極２１とドレイン電極２２との間の出力電圧が検出物質の物性や濃度により変化する。
これにより、酸化還元物質と導電層との電子授受を電荷信号として増幅検出できる。
【００１６】
信号検出の増幅力を高めるには、図２及び図３に示すようにケミカルＣＣＤに組み込んだ測定装置とすることができる。なお、図２にて２ａはOリング等のシール材である。
図２は、検出部が１チャンネルの場合で図３は、検出部がＣＨ１とＣＨ２との２チャンネルとなっていて差分分析が出来るタイプとなっていて電極構造は同じである。
ゲート部で検出した電荷信号をｐドープポリシリコン部２４ａ、２４ｂ、２４ｃの制御により積算検出できるようになっている。
なお、図２ではｐドープポリシリコン部２４ｂを制御してｎ型部２３ａに電荷を集積する。
【実施例１】
【００１７】
図４に図２又は図３に示したようなケミカルＣＣＤを用いて、フェロシアン化カリウム添加による出力電位変化を示す。
また、各種の酸化還元物質添加による金ゲート型ケミカルＣＣＤの出力電圧変化の濃度依存性を図５に示す。
さらに本発明に係る導電性層（金膜）をゲート部に用いたものと従来の絶縁膜（窒化膜）ゲートとの酸化還元物質添加による出力電圧差の比較を図６に示す。
（実験方法）
（金膜（Ａｕ膜））
（１）バッファーで洗浄し、０．１Ｍ  ＨＥＰＥＳ−ＮａＯＨ（ｐＨ＝７．０）  ３００μｌを添加、１５分エイジングを行った。
９０分間経時変化を測定した。
（２）各濃度（１ｍＭ、２ｍＭ、５ｍＭ、１０ｍＭ、２０ｍＭ、５０ｍＭ、１００ｍＭ）のフェリシアン化カリウムを１０分後に濃度の低い順に１５μｌ添加した。
（３）同様の方法で、フェロシアン化カリウム、アスコルビン酸（ＶＣ）、過酸化水素の測定も行った。
（窒化膜（Ｓｉ３Ｎ４））
（１）バッファー洗浄し、まず、ＨＥＰＥＳ−ＮａＯＨ（ｐＨ＝７．０）３００μｌを添加し、１５分エイジングを行った。
２０分間経時変化を測定した。
（２）１００ｍＭのフェリシアン化カリウムを１０分後に１５μｌ添加した。
（３）同様の方法で、フェロシアン化カリウム、アスコルビン酸、過酸化水素の測定も行った。
実験結果において、Ｋ３［Ｆｅ（ＣＮ）６］とＨ２Ｏ２の添加では、４５μＭ〜７ｍＭの濃度範囲で飽和曲線型の濃度依存性を示した。
これは、その電子吸引性によりＡｕ薄膜中の電子を抜き取る為と考えられた。
また、電子供与性のＫ４［Ｆｅ（ＣＮ）６］やアスコルビン酸（ＶＣ）の添加では、５．５μＭ〜５００μＭの濃度範囲において出力減少が見られ、その後ほぼ飽和することが示された。
これは、金薄膜中に電子を送り込むためと考えられた。
また、金膜と窒化膜との酸化還元物質応答を比較すると、金膜と窒素化膜でアスコルビン酸は逆の応答を示した。
これは、金膜で酸化還元の応答を示し窒化膜でｐＨ応答を示したために逆の性質示したと考えられた。
他の物質はｐＨ応答がないために、窒化膜で応答を示さなかった。
これらのデータより、ケミカルＣＣＤのゲート部を金薄膜でコートしたため為に酸化還元応答するようになったことが明らかに示された。
【実施例２】
【００１８】
上記のように本発明に係る測定装置は、溶液中の酸化還元物質に対して出力応答を示すために、電子授受する気体成分においても出力応答を示すと予想される。
そのため、本発明に係るケミカルＣＣＤがガスセンサとして応用可能かどうかを検討した。
例えば電子供与性の目安となるドナー数（ＤＮ）が電子受容性の目安であるアクセプター数（ＡＮ）に比べて大きな溶媒であるＤＭＳＯ（ジメチルスルホキシド）の蒸気を金ゲート部に接触させたところ、大きな負の出力変化が観測された。一方ＡＮ＞ＤＮのメタノールの蒸気を接触させた場合には、正の出力変化が見られた。
これらの結果より電子授受能を持つガス成分の検出に有効であることが示された。
【実施例３】
【００１９】
フェリシアン化カリウム等の電子メディエーターを介して酸化還元酵素反応をリアルタイム観測することを試みた。
グルコース脱水素酵素（ＧＤＨ）の酵素反応を図７に示し、濃度依存性を図８に示す。  また、本センサの基質特異性を検討した結果を図９に示す。
（実験方法）
（濃度依存性）
（１）バッファーで洗浄後し、ＨＥＰＥＳ−ＮａＯＨ（ｐＨ＝７．０）２４０μｌ、ＧＤＨ  ３０μｌ（終濃度１０μｇ／ｍｌ）、フェリシアン化カリウム３０μｌ（終濃度１０ｍＭ）を添加し、１５分エイジングを行った。３０分間経時変化を測定した。
（２）１０分後に各濃度（０ｍＭ、１ｍＭ、２ｍＭ、５ｍＭ、１０ｍＭ、２０ｍＭ、５０ｍＭ、１００ｍＭ）のグルコース３０μｌを添加した。
（基質特異性）
（１）濃度依存性と同様に溶液を調製し、３０分間経時変化を測定した。１０分後に各糖（グルコース、フルクトース、スクロース、ガラクトース、ラクトース）３０μｌを添加した。
（コントロール）
（１）各過程のネガティブコントロールを上記と同様の方法で、測定した。  
実験結果より、ＧＤＨの酵素反応をリアルタイム観察できた。
また、約１０μＭ〜１０ｍＭの濃度範囲でグルコース検出が可能であり、基質特異性も観察された。
【実施例４】
【００２０】
酸化還元酵素の１つであるフルクトースデヒドロゲナーゼ（ＦＤＨ）を、ケミカルＣＣＤのゲート部の金膜に吸着固定化し、酵素基質を添加したところ、図１０に示すように、予期したとおりフルクトースに応答した大きな負の出力変化が観測された。
また、グルコースやガラクトースには応答しないが、マンノースにはわずかに応答することが示された。
さらにセンサ出力のフルクトース濃度依存性を調べたところ、図１１に示すような飽和曲線が得られ、１ｍＭ以下のフルクトースをセンシングできた。
以上の結果から、金膜と酵素との直接電子移動を信号増幅して測定でき、酵素センサとして応用可能であることが示された。
【実施例５】
【００２１】
導電性膜と酸化還元物質との電子授受の高感度増幅検出は、金などの導電性材料の薄膜をケミカルＣＣＤのゲート表面に様々な方法で形成することで実現できるが、増幅素子としては、ケミカルＣＣＤだけでなく、ＩＳＦＥＴ（イオン  セレクティブ  フィールド  エフェクト  トランジスタ：イオン選択性電界効果トランジスタ）を用いることが可能である。
以下の図１２には、ＩＳＦＥＴのゲート表面に金コロイドを吸着により薄膜状に形成した後、緩衝溶液中に浸漬し、還元剤であるフェロシアン化カリウムを添加した際の応答を示す。
金コロイド層をつけていない通常のＩＳＦＥＴでは、１ｍＭになるようフェロシアンイオンを添加しても振動ノイズは見られるものの、出力の大きな変動はなかった。一方、金コロイド層を形成したＩＳＦＥＴチップの方は、１ｍＭのフェロシアンイオンの添加に伴い、３μＶ程度の出力低下を示した。
この結果より、ＩＳＦＥＴのゲート表面に導電性膜を形成することにより、液中や気体中の酸化還元物質との電子授受をＩＳＦＥＴの出力応答として検出できることが示された。
【産業上の利用可能性】
【００２２】
本発明は、液中あるいは気体中の酸化還元物質の電子供与性あるいは受容性を基準物質と比較する形で定性分析でき、また出力の濃度依存性から高感度定量分析も可能となる。
よって一般的に酸化還元物質検出用センサとなるほか、酸化還元性のガス検出器や生体酸化還元物質の検出、定量に用いられる。
さらには、実施例に示すように、酸化還元酵素と導電性ゲート部との直接電子移動あるいは電子メディエーターを介する間接電子移動を利用するバイオセンサやバイオエレクトロニクス素子に応用できる。
【図面の簡単な説明】
【００２３】
【図１】本発明に係る酸化還元物質測定装置の例を示す。
【図２】本発明をケミカルＣＣＤ（１チャンネル型）に組み込んだ例を示す。
【図３】本発明をケミカルＣＣＤ（２チャンネル型）に組み込んだ例を示す。
【図４】フェロシアン化カリウムに対するＡｕゲート型ケミカルＣＣＤの出力変化を示す。
【図５】Ａｕゲート型ケミカルＣＣＤの出力電圧の酸化還元物質の濃度依存性を示す。
【図６】Ａｕゲート型ケミカルＣＣＤと窒化膜ゲートのケミカルＣＣＤの各種酸化還元物質の出力電圧差を示す。
【図７】ＧＤＨの酸素反応とグルコース添加時の出力変化の例を示す。
【図８】出力電圧差のグルコース濃度依存性を示す。
【図９】出力応答から見た酵素の基質特異性を示す。
【図１０】ＦＤＨ固定化Ａｕゲート型ケミカルＣＣＤの種々の糖添加に伴う出力変化を示す。
【図１１】ＦＤＨ固定化Ａｕゲート型ケミカルＣＣＤの出力変化のフルクトース濃度依存性を示す。
【図１２】ゲート上に金コロイド膜を形成したＩＳＦＥＴのフェリシアン化カリウム添加に伴う出力電圧の変化を示す。
【符号の説明】
【００２４】
１０    ゲート部
１１    導電性層
１２    絶縁第二層
１３    絶縁第一層
２１    ソース電極
２２    ドレイン電極
３０    注入部
【図１】
2008020373.tif 000003
【図２】
2008020373.tif 000004
【図３】
2008020373.tif 000005
【図４】
2008020373.tif 000006
【図５】
2008020373.tif 000007
【図６】
2008020373.tif 000008
【図８】
2008020373.tif 000009
【図９】
2008020373.tif 000010
【図７】
2008020373.tif 000011
【図１０】
2008020373.tif 000012
【図１１】
2008020373.tif 000013
【図１２】
2008020373.tif 000014